(57)【要約】【課題】寸法の異なる２種類のカードを選択的に同じ向きに載せることができるカードトレイおよびカードコネクタを提供する。【解決手段】カードトレイ３０は、トレイハウジング３１と、規制板３２Ａ，３２Ｂ，３２Ｃとを備えている。トレイハウジング３１には、開口３１１ａが形成されたカード載置部３１１が設けられている。規制板３２Ａ，３２Ｂ，３２Ｃは、トレイハウジング３１に軸支されて、第１姿勢と第２姿勢との間で回転自在となっている。第１姿勢は、開口３１１ａ側に回転してトレイハウジング３１に載置された姿勢である。この第１姿勢では、第１種類のカードの載置位置を規制する。また、第２姿勢は、開口３１１ａから離れた側に回転してトレイハウジング３１に載置された姿勢である。この第２姿勢では、第２種類のカードの載置位置を規制する。【選択図】図２
2016134122.tif 000002
【特許請求の範囲】
【請求項１】
カードが載置され該カードの下面を露出させる開口が形成されたカード載置部が設けられたトレイハウジングと、
前記開口側に回転して前記トレイハウジングに載置された第１姿勢と、前記開口から離れた側に回転して前記トレイハウジングに載置された第２姿勢との間で回転自在に前記トレイハウジングに軸支され、前記第１姿勢にあるときに前記トレイ載置部に載置された第１種類のカードの載置位置を規制し、前記第２姿勢にあるときに前記トレイ載置部に載置された第２種類のカードの載置位置を規制する載置位置規制部材とを備えたことを特徴とするカードトレイ。
【請求項２】
前記載置位置規制部材が、前記開口の左右に設けられていることを特徴とする請求項１に記載のカードトレイ。
【請求項３】
前記載置位置規制部材が前記第１姿勢および前記第２姿勢のそれぞれにあるときに、該載置位置規制部材を当該姿勢に解除自在にロックするロック機構を備えたことを特徴とする請求項１または２に記載のカードトレイ。
【請求項４】
請求項１から３のうちのいずれか１項に記載のカードトレイと、
前記カードトレイを受容する受容部を有するコネクタ本体とを備えたことを特徴とするカードコネクタ。
【発明の詳細な説明】
【技術分野】
【０００１】
本発明は、カードを載せたカードトレイを差し込むタイプのカードコネクタ、およびそのカードコネクタに使用されるカードトレイに関する。
【背景技術】
【０００２】
メモリカードやＳＩＭ（Ｓｕｂｓｃｒｉｂｅｒ  Ｉｄｅｎｔｉｔｙ  Ｍｏｄｕｌｅ）カード等のカードは、同一機能あるいは追加機能を備えながら小型化されつつある。例えば、マイクロＳＩＭカードから、それよりも小型のナノＳＩＭカードに移行しつつある。
【０００３】
ただし、現状ではマイクロＳＩＭカードもナノＳＩＭカードも多用されている。
【０００４】
このような事情から、マイクロＳＩＭカードに適応したカードコネクタを搭載した機器でそれよりも小型のナノＳＩＭカードを使いたという要請がある。この使用法は、一般にはその機器を製造あるいは販売している、例えば携帯電話会社等の会社の保証外であり、ユーザの自己責任で行われている。この使用法では、アダプタが使用される。そのアダプタは、マイクロＳＩＭカード相当の寸法を有し、ナノＳＩＭカードを搭載できる形状となっている。そのアダプタにナノＳＩＭカードを搭載し、アダプタをマイクロＳＩＭカード用のカードコネクタに差し込む。こうすることにより、マイクロＳＩＭカード適応のカードコネクタでナノＳＩＭカードを使うことができる。
【０００５】
しかしながら、このようなアダプタには規格がない。このため、アダプタがカードコネクタのコンタクトに干渉してコンタクトを曲げてしまうなど、トラブルが発生している。ユーザの自己責任とはいえ、このようなトラブルを避けたカードコネクタが望まれる。
【０００６】
ここで、特許文献１には、２種類のカードのいずれかを選択的に収容できるトレイを有するカードコネクタが開示されている。
【０００７】
しかしながら、この特許文献１に開示されたカードコネクタは、２種類のカードを互いに向きを変えて収容するトレイである。このため、マイクロＳＩＭカードとナノＳＩＭカードのようにコンタクトパッドが同じ位置にある異なる大きさの２種類のカードを載せるカードトレイとしては使用できない。
【先行技術文献】
【特許文献】
【０００８】
【特許文献１】特開２０１３−１７８８８６号公報
【発明の概要】
【発明が解決しようとする課題】
【０００９】
本発明は、上記事情に鑑み、２種類のカードを選択的に同じ向きに載せることができるカードトレイおよびカードコネクタを提供することを目的とする。
【課題を解決するための手段】
【００１０】
上記目的を達成する本発明のカードトレイは、
カードが載置されてカードの下面を露出させる開口が形成されたカード載置部が設けられたトレイハウジングと、
上記開口側に回転してトレイハウジングに載置された第１姿勢と、上記開口から離れた側に回転してトレイハウジングに載置された第２姿勢との間で回転自在にトレイハウジングに軸支され、第１姿勢にあるときにトレイ載置部に載置された第１種類のカードの載置位置を規制し、第２姿勢にあるときにトレイ載置部に載置された第２種類のカードの載置位置を規制する載置位置規制部材とを備えたことを特徴とする。
【００１１】
本発明のカードトレイは、トレイハウジングに軸支されて姿勢を変える載置位置規制部材が備えられている。したがって、この載置位置規制部材を、載せようとするカードに適合した姿勢に変更することで、２種類のカードを選択的に載せることができる。
【００１２】
ここで、本発明のカードトレイにおいて、上記載置位置規制部材が、上記開口の左右に設けられていることが好ましい。
【００１３】
これにより、２種類のいずれのカードについても、その載置位置が各カードごとに適切な載置位置に規制される。
【００１４】
また、本発明のカードトレイにおいて、上記載置位置規制部材が第１姿勢および第２姿勢のそれぞれにあるときに、その載置位置規制部材を各姿勢に解除自在にロックするロック機構を備えることが好ましい。
【００１５】
このロック機能を備えると、載置位置規制部材が所望の姿勢から不用意に姿勢を変えてしまうことが避けられる。
【００１６】
また、上記目的を達成する本発明のカードコネクタは、本発明のいずれかの態様のカードトレイと、そのカードトレイを受容する受容部を有するコネクタ本体とを備えたことを特徴とする。
【発明の効果】
【００１７】
以上の本発明のカードトレイおよびカードコネクタによれば、２種類のカードを選択的に同じ向きに載せることができる。
【図面の簡単な説明】
【００１８】
【図１】本発明の第１実施形態としてのカードコネクタの平面図である。
【図２】ナノＳＩＭカードが載置される第１の状態にあるカードトレイを示した平面図である。
【図３】マイクロＳＩＭカードが載置される第２の状態にあるカードトレイを示した図である。
【図４】カードトレイの斜視図（Ａ）とその部分拡大図（Ｂ）である。
【図５】カードトレイを上下逆向きにして下面側を示した斜視図（Ａ）とその部分拡大図（Ｂ）である。
【図６】カードトレイの斜視図（Ａ）とその部分拡大図（Ｂ）である。
【図７】カードトレイを上下逆向きにして下面側を示した斜視図（Ａ）とその部分拡大図（Ｂ）である。
【図８】カードトレイの斜視図（Ａ）とその部分拡大図（Ｂ）である。
【図９】カードトレイを上下逆向きにして下面側を示した斜視図（Ａ）とその部分拡大図（Ｂ）である。
【発明を実施するための形態】
【００１９】
以下、本発明の実施の形態を説明する。
【００２０】
図１は、本発明の第１実施形態としてのカードコネクタの平面図である。
【００２１】
このカードコネクタ１０は、コネクタ本体２０とカードトレイ３０とを有する。
【００２２】
コネクタ本体２０は、金属シェル２１と、その金属シェル２１に覆われた不図示の本体ハウジングとを有する。そして、それら金属シェル２１と本体ハウジングとの間にはカードトレイ３０を受容する受容部２０Ａが形成されている。本体ハウジングには、不図示のコンタクトが配置されている。このコネクタ本体２０は、機器筐体９０の内部に備えられた回路基板（不図示）に搭載されている。
【００２３】
また、カードトレイ３０には、ナノＳＩＭカード４１（図２参照）とそれよりも大寸法のマイクロＳＩＭカード４２（図３参照）が選択的に載置される。
【００２４】
図２は、ナノＳＩＭカードが載置される第１の状態にあるカードトレイを示した平面図である。
【００２５】
また、図３は、マイクロＳＩＭカードが載置される第２の状態にあるカードトレイを示した図である。
【００２６】
ここでは、これら図２，図３を参照してカードトレイ３０について説明しながら、図１についても説明を続ける。
【００２７】
ここで、図２，図３のいずれにおいても、（Ａ）はカードが載置された状態が示されていて、（Ｂ）には、カードを取り除いた状態が示されている。
【００２８】
このカードトレイ３０には、トレイハウジング３１と、板形状の３枚の規制板３２Ａ，３２Ｂ，３２Ｃが備えられている。これら３枚の規制板３２Ａ，３２Ｂ，３２Ｃに共通する説明においては、規制板３２と称する。
【００２９】
このトレイハウジング３１には、ナノＳＩＭカード４１あるいはマイクロＳＩＭカード４２が選択的に載置されるカード載置部３１１が設けられている。ナノＳＩＭカード４１とマイクロＳＩＭカード４２とに共通の説明については、ＳＩＭカード４０と称する。
【００３０】
このカード載置部３１１には、載置されたＳＩＭカード４０の下面の広い領域を下方に開放する開口３１１ａ（図２（Ｂ），図３（Ｂ）参照）が形成されている。そして、その開口３１１ａの両側に、ＳＩＭカード４０を載せる載置台３１１ｂが設けられている。ナノＳＩＭカード４１およびマイクロＳＩＭカード４２のいずれのＳＩＭカード４０にも、その下面に、電気的な接続を担うパッド（不図示）が形成されている。ナノＳＩＭカード４１もマイクロＳＩＭカード４２も、カード載置部３１１にそれぞれ位置規制された状態に載置される。すると、ナノＳＩＭカード４１のパッドとマイクロＳＩＭカード４２のパッドは、ほぼ同一の位置に配置される。
【００３１】
このＳＩＭカード４０を載置したカードトレイ３０が矢印Ｉで示す差込みの向きに差し込まれて、コネクタ本体２０の受容部２０Ａ（図１参照）に受容される。すると、ＳＩＭカード４０のパッドとコネクタ本体のコンタクト（不図示）とが接触する。コネクタ本体２０のコンタクトは、コネクタ本体２０が搭載されている回路基板に接続されている。このため、ＳＩＭカード４０は、コネクタ本体２０に受容されて、回路基板との間でコンタクトを介して信号の伝送を行なうことができる。
【００３２】
また、トレイハウジング３１には、矢印Ｒで示す抜取りの向きの前端部に立壁部３１２が設けられている。この立壁部３１２には、イジェクトピン１０１（図１参照）が差し込まれる穴３１２ａを有する。また、この立壁部３１２の前面３１２ｂは、このカードトレイ３０がコネクタ本体２０に差し込まれた状態において機器筐体９０の外面９２と同一面となる。すなわち、この立壁部３１２の前面３１２ｂは、機器筐体９０の外面９２の一部を成す面である。
【００３３】
また、カードトレイ３０に備えられている３枚の規制板３２は、各々２箇所ずつでトレイハウジング３１に軸支されている。具体的には、規制板３２Ａは、挿抜方向（矢印Ｉ−Ｒ方向）の奥側と手前側との２箇所の軸支部３２１Ａで軸支されている。また、規制板３２Ｂも、挿抜方向の奥側と手前側との２箇所の軸支部３２１Ｂで軸支されている。さらに、規制板３２Ｃは、左右２箇所の軸支部３２１Ｃで軸支されている。そして、これら３枚の規制板３２は、いずれも第１姿勢と第２姿勢とを有する。第１姿勢は、規制板３２が、カード載置部３１１の開口３１１ａ側に回転してトレイハウジング３１に載置された姿勢である。また、第２姿勢は、規制板３２が、その開口３１１ａから離れた側に回転してトレイハウジング３１に載置された姿勢である。
【００３４】
図２は、開口３１１ａ側に回転した第１姿勢にある規制板３２が示されている。ナノＳＩＭカード４１は、この第１姿勢にある規制板３２により、トレイハウジング３１上の載置位置が規制される。
【００３５】
規制板３２Ａ，３２Ｂ，３２Ｃは、ナノＳＩＭカード４１の輪郭に沿った形状に形成された第１の縁３２２Ａ，３２２Ｂ，３２２Ｃを有する。そして、これらの規制板３２Ａ，３２Ｂ，３２Ｃは、第１姿勢にあるときに、第１の縁３２２Ａ，３２２Ｂ，３２２Ｃをカード載置部３１１の開口３１１ａ側に向けている。それらの規制板３２Ａ，３２Ｂ，３２Ｃの第１の縁３２２Ａ，３２２Ｂ，３２２Ｃ相互の位置も、ナノＳＩＭカード４１の輪郭に沿った位置となっている。
【００３６】
また、図３には、開口３１１ａから離れた側に回転した第２姿勢にある規制板３２が示されている。マイクロＳＩＭカード４２は、この第２姿勢にある規制板３２により、トレイハウジング３１上の載置位置が規制される。
【００３７】
３枚のうちの２枚の規制板３２Ａ，３２Ｂには、マイクロＳＩＭカード４２の輪郭に沿った形状に形成された第２の縁３２３Ａ，３２３Ｂを有する。ただし、１枚の規制板３２Ｃには、マイクロＳＩＭカード４２の載置位置を規制する役割はない。マイクロＳＩＭカード４２の挿入の向き（矢印Ｉの向き）の後端縁は、トレイハウジング３１の段部３１５によって位置規制される。したがって、本実施形態の場合、カード載置部３１１の開口部３１１ａの左右にある２枚の規制板３２Ａ，３２Ｂが、本発明にいう載置位置規制部材の一例に相当する。
【００３８】
本実施形態では３枚の規制板３２が備えられている。これら３枚のうちの、カード載置部３１１の開口部３１１ａの左右にある２枚の規制板３２Ａ，３２Ｂだけであっても、ＳＩＭカード４０の載置位置が規制される。何故なら、ナノＳＩＭカード４１の３隅に対応するアール部３３により、ナノＳＩＭカード４１の挿抜方向の位置が規制されるからである。ただし、ここでは、ナノＳＩＭカード４１の載置位置をより確実に規制するために、開口３１１ａの、差込み向き（矢印Ｉの向き）の後端側に、もう１枚の規制板３２Ｃを備えている。
【００３９】
また、これらの規制板３２それぞれの軸支部３２１Ａ，３２１Ｂ，３２１Ｃには、後述するロック機構が備えられている。このロック機構は、第１姿勢および第２姿勢のそれぞれにおいて、規制板３２をその姿勢に解除自在にロックする。
【００４０】
図１では、カードトレイ３０に載っているＳＩＭカード４０は、金属シェル２１に覆われた位置にある。このため、図１にはＳＩＭカード４０は示されていない。ただし、この図１には、規制板３２Ｃが示されている。この規制板３２Ｃは、図３と同じく、第２姿勢にある。
【００４１】
コネクタ本体２０からは、イジェクト部材２３が突き出している。イジェクト治具１００のイジェクトピン１０１を立壁部３１２に設けられている穴３１２ａに差し込む。すると、そのイジェクトピン１０１でイジェクト部材２３が押される。コネクタ本体２０内にはこのイジェクト部材２３を含む、ＳＩＭカード４０取出し用のイジェクト機構が備えられている。イジェクト部材２３が押されると、そのイジェクト機構によりカードトレイ３０が、コネクタ本体２０から押し出される。このカードトレイ３０の、この押出しにより機器筐体９０から突き出た部分を手がかりにして、カードトレイ３０が抜き取られる。
【００４２】
図４は、カードトレイの斜視図（Ａ）とその部分拡大図（Ｂ）である。
【００４３】
また、図５は、カードトレイを上下逆向きにして下面側を示した斜視図（Ａ）とその部分拡大図（Ｂ）である。
【００４４】
ただし、図４，図５においては、３枚の規制板３２のうちの１枚の規制板３２Ｃを取り外して、その部分のトレイハウジング３１の構造を示している。また、図４（Ｂ），図５（Ｂ）は、それぞれ、図４（Ａ），図５（Ａ）の円Ｒの部分の拡大図である。
【００４５】
ここには、トレイハウジング３１に設けられている、規制板３２Ｃを軸支するための円形のボス３１３が示されている。また、ここには、そのボス３１３から下方に延びた、規制板３２Ｃをロックするための係止突起３１４も示されている。
【００４６】
図２，図３に示す通り、規制板３２Ｃの軸支部３２１Ｃは、その規制板３２Ｃの左右に１つずつ、つまり一対設けられている。ただし、それら一対の軸支部３２１Ｃは、互いに同一の構造を有する。図４と図５には、それら一対の軸支部３２１Ｃのうちの各一方の軸支部３２１Ｃに対応するボス３１３や係止突起３１４が示されている。また、他の２枚の規制板３２Ａ，３２Ｂについても、軸支部３２１Ａ，３２１Ｂの構造は、規制板３２Ｃの軸支部３２１Ｃの構造と同一である。そこで、ここでは、規制板３２Ｃの軸支部３２１Ｃの構造について説明する。
【００４７】
なお、これら図４，図５に示されている２枚の規制板３２Ａ，３２Ｂは、ナノＳＩＭカード４１の位置を規制するための第１姿勢となっている。
【００４８】
図６は、カードトレイの斜視図（Ａ）とその部分拡大図（Ｂ）である。
【００４９】
また、図７は、カードトレイを上下逆向きにして下面側を示した斜視図（Ａ）とその部分拡大図（Ｂ）である。
【００５０】
これら図６，図７には、示すカードトレイ３０には、図４，図５において取り外してあった規制板３２Ｃを含む、３枚の規制板３２Ａ，３２Ｂ，３２Ｃが含まれている。これら図６，図７では、それら３枚の規制板３２Ａ，３２Ｂ，３２Ｃは、ナノＳＩＭカード４１（図２参照）の載置位置を規制する第１姿勢にある。また、図６（Ｂ），図７（Ｂ）は、それぞれ図６（Ａ），図７（Ａ）の円Ｒの部分の拡大図である。
【００５１】
規制板３２Ｃの軸支部３２１Ｃには、トレイハウジング３１に形成された円形のボス３１３（図４，図５参照）に嵌り込む円形の窪み（不図示）が形成されている。また、この規制板３２Ｃの軸支部３２１Ｃには、その円形の窪みを上下に貫いて延びる係止溝３２４Ｃが形成されている。
【００５２】
これらの図６，図７に示すように、規制板３２Ｃが第１姿勢にあるときに、トレイハウジング３１に形成された係止突起３１４が係止溝３２４Ｃに嵌り込んでいる。これにより、この規制板３２Ｃは、この第１姿勢にロックされている。ただし、その規制板３２Ｃに少し力を加えると、その規制板３２Ｃの軸支部３２１Ｃが弾性変形してロックが外れる。そして、その規制板３２Ｃを、第２姿勢に向けて回転させることができる。
【００５３】
その規制板３２Ｃを、今度は第２姿勢側から、図６，図７に示す第１姿勢に向けて回転させる。そのときには、その規制板３２Ｃが弾性変形を伴って回転し、トレイハウジング３１の係止突起３１４が係止溝３２４Ｃに嵌まり込んで弾性変形が解消される。このとき、このカードトレイ３０を操作しているユーザにクリック感を与え、規制板３２Ｃが第１姿勢にロックされたことをユーザに実感させることができる。
【００５４】
図８は、カードトレイの斜視図（Ａ）とその部分拡大図（Ｂ）である。
【００５５】
また、図９は、カードトレイを上下逆向きにして下面側を示した斜視図（Ａ）とその部分拡大図（Ｂ）である。
【００５６】
これら図８，図９には、第２姿勢にある３枚の規制板３２Ａ，３２Ｂ，３２Ｃが示されている。また、図８（Ｂ），図９（Ｂ）は、それぞれ図８（Ａ），図９（Ａ）に示す円Ｒの部分拡大図である。
【００５７】
これら図８，図９に示すように、規制板３２Ｃは，第２姿勢にあるときも、係止突起３１４が係止溝３２４Ｃに嵌り込んでいる。
【００５８】
係止溝３２４Ｃは、軸支のための円形の窪みを上下に貫いて延びている。これに対し、トレイハウジング３１に形成されている係止突起３１４は、軸支のためのボス３１３の下方に形成されている。第１姿勢にあるときは、その係止溝３２４Ｃの、ボス３１３に嵌まり込む円形の窪みよりも下の部分に、係止突起３１４が嵌り込んでいる。第２姿勢にあるときも、その係止溝３２４Ｃの、第２姿勢における円形の窪みよりも下の部分に係止突起３１４が嵌り込んでいる。すなわち、第２姿勢にあるときは、係止溝３２４Ｃの、第１姿勢における、円形の窪みよりも上の部分に、係止突起３１４が嵌まり込んでいることになる。なお、トレイハウジング３１に係止溝を、規制板に係止突起を設けてもよい。
【００５９】
この規制板３２Ｃを第１姿勢から第２姿勢に回転させると、この規制板３２Ｃの弾性変形により第１姿勢から外れる。そして、この規制板３２Ｃは、そのまま第２姿勢に向けて回転する。この規制板３２Ｃは、第２姿勢にまで回転すると、係止溝３２４Ｃに係止突起３１４がクリック感を伴って嵌り込む。第２姿勢にある規制板３２Ｃを第１姿勢に向けて回転させるときも同様である。また、残りの２枚の規制板３２Ａ，３２Ｂも、この規制板３２Ｃと同様である。
【００６０】
本実施形態では、このようなロック機構により、規制板３２を、第１姿勢、第２姿勢のいずれにおいても、その姿勢にロックする構造となっている。
【００６１】
ここでは、ナノＳＩＭカード４１とマイクロＳＩＭカード４２を選択的に載置するカードトレイ３０を例に挙げて説明している。ただし、本発明は、ナノＳＩＭカード４１とマイクロＳＩＭカード４２に限らず、寸法の異なる２種類のカードを選択的に載置する場合に広く適用することができる。
【符号の説明】
【００６２】
１０      カードコネクタ
２０      コネクタ本体
２０Ａ    受容部
３０      カードトレイ
３１      トレイハウジング
３１１    カード載置部
３１１ａ  開口
３１１ｂ  載置台
３１２    立壁部
３１２ａ  穴
３１２ｂ  前面
３１３    ボス
３１４    係止突起
３１５    段部
３２Ａ，３２Ｂ，３２Ｃ    規制板
３２１Ａ，３２１Ｂ，３２１Ｃ    軸支部
３２２Ａ，３２２Ｂ，３２２Ｃ    第１の縁
３２３Ａ，３２３Ｂ    第２の縁
【図１】
2016134122.tif 000003
【図２】
2016134122.tif 000004
【図３】
2016134122.tif 000005
【図４】
2016134122.tif 000006
【図５】
2016134122.tif 000007
【図６】
2016134122.tif 000008
【図７】
2016134122.tif 000009
【図８】
2016134122.tif 000010
【図９】
2016134122.tif 000011